(57)【要約】【課題】指向性の強い少数のアンテナで、通信不能部分の無い広い通信領域をカバーできるタグ通信装置を提供する。【解決手段】電波を介してＲＦＩＤタグ３と無線通信を行うＲＦＩＤリーダ／ライタ２は、送信する電波のビームをスキャン可能であるビームスキャンアンテナ４０と、上記スキャンを制御する制御部２０とを備える。ビームスキャンアンテナ４０は、ＲＦＩＤタグ３が存在し得る空間の一部にビームを送信し、制御部２０によってスキャンが行われることにより、空間に存在するＲＦＩＤタグ３と通信可能となるように配置されており、かつ、空間において、ビームスキャンアンテナ４０からＲＦＩＤタグ３に直接送信されるビームの直接波ＤＷと、ビームが床面７にて反射してＲＦＩＤタグ３に送信される反射波ＲＷとの電波強度が異なるようなビームを送信する。【選択図】図１
2008289192.tif 000002
【特許請求の範囲】
【請求項１】
電波を介してＲＦＩＤタグと無線通信を行うタグ通信装置であって、
送信する電波のビームをスキャン可能であるタグ通信用アンテナと、
上記スキャンを制御するスキャン制御手段とを備えており、
上記タグ通信用アンテナは、
上記ＲＦＩＤタグが存在し得る空間の一部に上記ビームを送信し、上記スキャン制御手段によって上記スキャンが行われることにより、上記空間に存在する上記ＲＦＩＤタグと通信可能となるように配置されており、かつ、
上記空間において、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信することを特徴とするタグ通信装置。
【請求項２】
上記タグ通信用アンテナは、上記反射波による通信不能部分が発生する上記反射面から離間して配置されることを特徴とする請求項１に記載のタグ通信装置。
【請求項３】
移相器が複数のアンテナ素子に送信する信号の位相をずらすことにより、上記ビームをスキャンすることを特徴とする請求項１または２に記載のタグ通信装置。
【請求項４】
上記送信する電波は、マイクロ波であることを特徴とする請求項１から３までの何れか１項に記載のタグ通信装置。
【請求項５】
上記タグ通信用アンテナは複数個であることを特徴とする請求項１から４までの何れか１項に記載のタグ通信装置。
【請求項６】
少なくとも２つの上記タグ通信用アンテナを、上記反射波による通信不能部分が発生する反射面に略垂直な方向に離間して配置することを特徴とする請求項５に記載のタグ通信装置。
【請求項７】
少なくとも２つの上記タグ通信用アンテナを、対向して配置することを特徴とする請求項５または６に記載のタグ通信装置。
【請求項８】
上記タグ通信用アンテナを介して上記ＲＦＩＤタグと無線通信を行う通信手段と、
該通信手段が無線通信を完了した上記ＲＦＩＤタグの数をカウントするカウント手段と、
上記タグ通信用アンテナが或るスキャン時間に或るスキャン範囲を或る刻み角でスキャンを行うようにスキャン制御手段に指示し、上記スキャンの間に上記カウント手段がカウントしたＲＦＩＤタグの通信完了数を取得し、これを種々のスキャン時間、スキャン範囲、および刻み角について繰り返した後、ＲＦＩＤタグの通信完了数が最大となるスキャン時間、スキャン範囲、および刻み角を決定することにより、上記ビームのスキャンを調整するスキャン調整手段とをさらに備えることを特徴とする請求項１から７までの何れか１項に記載のタグ通信装置。
【請求項９】
請求項１ないし８の何れか１項に記載のタグ通信装置と、
該タグ通信装置のタグ通信用アンテナが送信する電波の反射面に設けられた、上記電波の反射波の電波強度を低減する反射強度低減体とを備えることを特徴とするタグ通信システム。
【請求項１０】
電波を介してＲＦＩＤタグと無線通信を行うタグ通信装置であって、送信する電波のビームをスキャン可能であるタグ通信用アンテナと、上記スキャンを制御するスキャン制御手段とを備えており、上記タグ通信用アンテナは、上記ＲＦＩＤタグが存在し得る空間の一部に上記ビームを送信し、上記スキャン制御手段によって上記スキャンが行われることにより、上記空間に存在する上記ＲＦＩＤタグと通信可能となるように配置されているタグ通信装置のタグ通信方法であって、
上記空間において、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信することによって、上記ＲＦＩＤタグと無線通信を行うことを特徴とするタグ通信装置のタグ通信方法。
【請求項１１】
請求項１ないし８の何れか１項に記載のタグ通信装置を動作させるためのプログラムであって、コンピュータを上記各手段として機能させるためのプログラム。
【発明の詳細な説明】
【技術分野】
【０００１】
本発明は、電波を介してＲＦＩＤタグと無線通信を行うタグ通信装置、タグ通信システム、タグ通信装置のタグ通信方法、およびプログラムに関するものである。
【背景技術】
【０００２】
近時、ＲＦＩＤ（Radio Frequency Identification）タグ（無線タグ）に対し、リーダおよび／またはライタであるタグ通信装置が無線で通信を行うＲＦＩＤ技術が利用されつつある。また、ＲＦＩＤタグは、バーコードに替わるものとして特に物流の分野において期待を集めており、近い将来において爆発的に普及することが予想されている。
【０００３】
ＲＦＩＤタグおよびタグ通信装置の間の通信方式としては、電磁誘導方式とマイクロ波方式とがある。電磁誘導方式は、１２５ｋ〜１３５ｋＨｚ帯や１３．５６ＭＨｚ帯の周波数帯域で利用されている。一方、マイクロ波方式は、２．４５ＧＨｚ帯などの周波数帯域で利用されており、８００ＭＨｚ〜９６０ＭＨｚ前後のいわゆるＵＨＦ帯での利用が考えられている。
【０００４】
現在のところ、電磁誘導方式が普及しつつある。しかしながら、一般に、電磁誘導方式よりもマイクロ波方式の方が通信距離を伸長し易いことと、周波数帯域が高くなるにつれて、ＲＦＩＤタグのアンテナの寸法を小さくすることができることとから、近い将来、マイクロ波方式の普及が予想されている。このため、マイクロ波方式のＲＦＩＤタグおよびタグ通信装置の開発も進められている。
【特許文献１】特開２００２−１５１９４４号公報（２００２年５月２４日公開）
【特許文献２】特開平９−５４３１号公報（１９９７年１月１０日公開）
【特許文献３】特開２００２−１９８７２２号公報（２００２年７月１２日公開）
【発明の開示】
【発明が解決しようとする課題】
【０００５】
上述のように、マイクロ波方式の場合には、電磁誘導方式の場合に比べて、タグ通信装置とＲＦＩＤタグとの通信距離を数ｃｍ程度から数ｍ程度に伸長し易いため、タグ通信装置がＲＦＩＤタグと通信可能な領域である通信領域の拡大が容易である。しかしながら、通信領域を拡大した場合、以下のような問題点が生じる。
【０００６】
タグ通信装置のアンテナであるタグ通信用アンテナとしては、無指向性のアンテナまたは指向性の弱いアンテナを利用する場合と、指向性の強いアンテナを利用する場合とが考えられる。例えば、上記特許文献１には指向性の強い八木アンテナを使うＲＦＩＤシステムが記載されている。しかしながら、指向性の強いアンテナは、指向性の弱いアンテナに比べて通信領域が狭いので、少数のアンテナで多数のＲＦＩＤタグを同時に読み書きできるシステムを構築することは困難である。
【０００７】
一方、多数のＲＦＩＤタグを同時に読み書きするシステムのアンテナ構成として、一般的に図１３および図１４に示されるようなアンテナ構成が考えられている。図１３は、指向性の弱いアンテナを利用する場合の通信領域を示しており、図１４は、指向性の強いアンテナを利用する場合の通信領域を示している。
【０００８】
指向性の弱いアンテナを利用する場合、図１３に示されるように、少数のアンテナ１００で広い通信領域１０１をカバーすることが可能である。しかしながら、少数のアンテナ１００で広い通信領域１０１をカバーすると、通信領域１０１内に多数のＲＦＩＤタグ１０２が同時に存在することになる。このため、少数のアンテナ１００と多数のＲＦＩＤタグ１０２との間で通信のコリジョン（衝突）が多数発生して、通信の品質が劣化することになる。
【０００９】
また、指向性の弱いアンテナを利用する場合、タグ通信装置からの直接波と床面や壁面にて反射した反射波とが干渉するいわゆるマルチパス干渉により、タグ通信装置がＲＦＩＤタグと通信できない通信不能部分が通信領域内に発生することになる。この場合、通信領域内で通信できないＲＦＩＤタグが発生する可能性があり、望ましくない。さらに、上記マルチパス干渉により、タグ通信装置がＲＦＩＤタグと通信できる通信可能部分が通信領域外に発生する可能性が高くなる。このことは、通信領域を所定の領域に限定したい場合に望ましくない。
【００１０】
これに対し、通信不能部分が発生しないようにアンテナの位置、方向、出力などの調整を行うことが考えられる。しかしながら、この調整は、通信領域内の各部分で通信が可能であることを確認しながら行う必要があるため、多大な時間および労力が必要となる。
【００１１】
一方、図１４に示されるように指向性の強いアンテナ１１０を利用する場合、図１３に示されるように指向性の弱いアンテナ１００を利用する場合に比べて、１つのアンテナがカバーする通信領域１１１が狭いので、上記通信のコリジョンの発生を抑えることができ、通信の品質の劣化を抑えることができる。また、指向性の強いアンテナ１１０を利用する場合、床面や壁面に伝搬する電波の強度を抑えることにより、上記マルチパス干渉により生じる問題を回避することができる。
【００１２】
しかしながら、指向性の強いアンテナ１１０で広い通信領域をカバーするには、図１４に示されるように、多数のアンテナが必要となる。さらに、指向性の強いアンテナ１１０は、指向性の弱いアンテナ１００に比べてアンテナの規模が大きくなる。したがって、タグ通信装置のアンテナ部分の規模が著しく増大することになる。
【００１３】
本発明は、上記の問題点に鑑みてなされたものであり、その目的は、指向性の強い少数のアンテナで、通信不能部分の無い広い通信領域をカバーできるタグ通信装置などを提供することにある。
【課題を解決するための手段】
【００１４】
上記課題を解決するため、本願発明者は、ＲＦＩＤシステムのタグ通信用アンテナにビームスキャンアンテナを利用することを考えた。ビームスキャンアンテナは、電波のビームを絞った指向性の強いアンテナであって、ビームをスキャンできるものである。ビームスキャンアンテナは、上記特許文献２・３に記載のように、レーダに利用されることが一般的であるが、ＲＦＩＤシステムのタグ通信用アンテナとしては未だ利用されていない。そこで、本願発明者は、ビームスキャンアンテナを利用して、ビームの形状、進行方向、スキャン方向などを種々に変更して検討を重ねることにより、以下のような解決手段を案出した。
【００１５】
すなわち、本発明に係るタグ通信装置は、電波を介してＲＦＩＤタグと無線通信を行うタグ通信装置であって、送信する電波のビームをスキャン可能であるタグ通信用アンテナと、上記スキャンを制御するスキャン制御手段とを備えており、上記タグ通信用アンテナは、上記ＲＦＩＤタグが存在し得る空間の一部に上記ビームを送信し、上記スキャン制御手段によって上記スキャンが行われることにより、上記空間に存在する上記ＲＦＩＤタグと通信可能となるように配置されており、かつ、上記空間において、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信することを特徴としている。
【００１６】
また、本発明に係るタグ通信装置のタグ通信方法は、電波を介してＲＦＩＤタグと無線通信を行うタグ通信装置であって、送信する電波のビームをスキャン可能であるタグ通信用アンテナと、上記スキャンを制御するスキャン制御手段とを備えており、上記タグ通信用アンテナは、上記ＲＦＩＤタグが存在し得る空間の一部に上記ビームを送信し、上記スキャン制御手段によって上記スキャンが行われることにより、上記空間に存在する上記ＲＦＩＤタグと通信可能となるように配置されているタグ通信装置のタグ通信方法であって、上記空間において、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信することによって、上記ＲＦＩＤタグと無線通信を行うことを特徴としている。
【００１７】
上記の構成によると、送信する電波のビームをスキャンすることが可能なビームスキャンアンテナをタグ通信用アンテナとして利用し、スキャン制御手段の制御により上記タグ通信用アンテナから送信する電波のビームがスキャンされることにより、指向性の強い通常のアンテナに比べて通信領域を拡大することができる。したがって、少数のアンテナで広い通信領域をカバーすることができる。
【００１８】
ところで、マルチパス干渉による通信不能部分は、直接波の電波強度と反射波の電波強度とが同程度である場合に発生する。そこで、本発明では、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信している。
【００１９】
この場合、上記通信不能部分にて、直接波の電波強度と上記反射面からの反射波の電波強度とが異なるようになると、マルチパス干渉が抑えられて、タグ通信装置とＲＦＩＤタグとの通信が可能となる。したがって、本発明に係るタグ通信装置は、通信不能部分の無い広い通信領域をカバーすることができる。
【００２０】
また、本発明に係るタグ通信装置は、上記の構成において、上記タグ通信用アンテナは、上記反射波による通信不能部分が発生する上記反射面から離間して配置されることを特徴としている。
【００２１】
上記構成によると、タグ通信用アンテナと反射面との間に、通信不能部分の抑えられた空間を確保することができ、該空間を通過する多数のＲＦＩＤタグと確実に通信することができる。
【００２２】
なお、上記タグ通信用アンテナは、移相器が複数のアンテナ素子に送信する信号の位相を変更することにより、上記ビームをスキャンするものであることが望ましい。この場合、ビームをスキャンするための機械的構成が不要となるので、信頼性を向上させることができる。
【００２３】
また、上記送信する電波は、マイクロ波であることが望ましい。マイクロ波とは、周波数が３００ＭＨｚ程度〜３００ＧＨｚ程度の電波をいう。マイクロ波を利用することにより、タグ通信装置とＲＦＩＤタグとの通信距離を数ｍ以上に伸長することが容易となる。
【００２４】
なお、上記タグ通信用アンテナを複数個備えることが望ましい。この場合、各タグ通信用アンテナのスキャン範囲を狭くできるので、スキャン時間を短くできる。
【００２５】
さらに、少なくとも２つの上記タグ通信用アンテナを、上記反射波による通信不能部分が発生する反射面に略垂直な方向に離間して配置することが望ましい。この場合、ビームの進行方向と上記反射面とのなす角度を小さくできるので、反射波の影響が少なくなり、マルチパス干渉を確実に抑えることができる。
【００２６】
ところで、ビームのスキャンは、アンテナの位置を固定してビームの進行方向を変化させるものであるから、スキャンによってＲＦＩＤタグと通信可能となる通信領域は、タグ通信用アンテナに近い方が狭く、遠い方が広くなる。このため、タグ通信用アンテナに近い領域には、ビームが到達しないことによる通信不能領域が発生するおそれがある。
【００２７】
そこで、少なくとも２つの上記タグ通信用アンテナを、対向して配置することが望ましい。この場合、一方のタグ通信用アンテナに近い領域は、対向するタグ通信用アンテナの通信領域となるので、上記通信不能領域が発生することを防止できる。さらに、互いに対向するタグ通信用アンテナを、上記反射面に略垂直な方向にずらして配置すれば、互いの通信領域が重なる領域が少なくなり、複数のタグ通信用アンテナからの電波が混信することを防止できる。
【００２８】
また、本発明に係るタグ通信装置は、上記の構成において、上記タグ通信用アンテナを介して上記ＲＦＩＤタグと無線通信を行う通信手段と、該通信手段が無線通信を完了した上記ＲＦＩＤタグの数をカウントするカウント手段と、上記タグ通信用アンテナが或るスキャン時間に或るスキャン範囲を或る刻み角でスキャンを行うようにスキャン制御手段に指示し、上記スキャンの間に上記カウント手段がカウントしたＲＦＩＤタグの通信完了数を取得し、これを種々のスキャン時間、スキャン範囲、および刻み角について繰り返した後、ＲＦＩＤタグの通信完了数が最大となるスキャン時間、スキャン範囲、および刻み角を決定することにより、上記ビームのスキャンを調整するスキャン調整手段とをさらに備えることを特徴としている。
【００２９】
上記の構成によると、スキャン調整手段が、ＲＦＩＤタグの通信完了数が最大となるように、スキャン時間、スキャン範囲、および刻み角を自動的に調整するので、アンテナ設置時やメインテナンス時に、所望の領域が通信領域となるようにアンテナのチューニングを行うことが容易となる。
【００３０】
本発明に係るタグ通信システムは、上記構成のタグ通信装置と、該タグ通信装置のタグ通信用アンテナが送信する電波の反射面に設けられた、上記電波の反射波の電波強度を低減する反射強度低減体とを備えることを特徴としている。
【００３１】
ここで、反射強度低減体としては、例えば、電波をよく吸収する物体である電波吸収体や、電波を拡散反射させる物体である拡散反射体などが挙げられる。
【００３２】
上記の構成によると、タグ通信装置のタグ通信用アンテナが送信する電波が反射する反射面のうち、反射強度低減体が設けられた面は、反射波の電波強度が低減するので、反射強度低減体が設けられていない面を、最も強い反射波が生じる反射面、つまり上記反射波による通信不能部分が発生する反射面として特定することができる。したがって、電波のビーム方向を、最も強い反射波が生じる反射面に垂直な方へ変更することにより、前述と同様の効果を得ることができる。
【００３３】
なお、上記タグ通信装置における各手段を、プログラムによりコンピュータ上で実行させることができる。さらに、上記プログラムをコンピュータ読取り可能な記録媒体に記憶させることにより、任意のコンピュータ上で上記プログラムを実行させることができる。
【発明の効果】
【００３４】
以上のように、本発明に係るタグ通信装置は、送信する電波のビームをスキャンすることが可能なビームスキャンアンテナをタグ通信用アンテナとして利用し、スキャン制御手段の制御により上記タグ通信用アンテナから送信する電波のビームがスキャンされることにより、指向性の強い通常のアンテナに比べて通信領域を拡大することができ、少数のアンテナで広い通信領域をカバーできるという効果を奏する。また、上記タグ通信用アンテナから上記ＲＦＩＤタグに直接送信されるビームの直接波と、上記ビームが或る反射面にて反射して上記ＲＦＩＤタグに送信される反射波との電波強度が異なるようなビームを送信するので、マルチパス干渉が抑えられ、タグ通信装置とＲＦＩＤタグとの通信が可能となり、通信不能部分の無い広い通信領域をカバーできるという効果を奏する。
【発明を実施するための最良の形態】
【００３５】
以下、本発明の一実施形態について図１ないし図１１に基づいて説明する。図１は、本実施形態であるＲＦＩＤシステム（タグ通信システム）の概要を示している。ＲＦＩＤシステム１は、空港における航空手荷物、物流における荷物、製造工程におけるワーク（中間品）などの物品を非接触で自動的に識別するものである。具体的には、ＲＦＩＤシステム１は、自動運搬車、ベルトコンベアなどの運搬手段５で運搬される多数の物品４にそれぞれ取り付けられたＲＦＩＤタグ３に対し、ＲＦＩＤリーダ／ライタ（以下、単に「リーダ／ライタ」と称する。）２が無線通信を行ってデータの読み書きを行うものである。
【００３６】
本実施形態では、リーダ／ライタ（タグ通信装置）２が送信する電波の周波数帯域は、８００ＭＨｚ〜９６０ＭＨｚ前後のいわゆるＵＨＦ帯である。これにより、リーダ／ライタ２がＲＦＩＤタグ３と通信可能な領域は、リーダ／ライタ２のアンテナから数ｍ程度となる。一般に、ＵＨＦ帯や２．４５ＧＨｚ帯の電波（radio wave）を利用するマイクロ波方式は、１２５ｋ〜１３５ｋＨｚ帯や１３．５６ＭＨｚ帯の電磁誘導を利用する電磁誘導方式に比べて、通信距離を拡大し易いという利点がある。また、ＵＨＦ帯の電波は、２．４ＧＨｚ帯の電波に比べて、物陰に回り込み易いという利点がある。
【００３７】
ＲＦＩＤタグ３は、無線通信ＩＣ（Integrated Circuit）およびアンテナを備える構成である。一般的なＲＦＩＤタグ３は、電池などの電源を有しておらず、リーダ／ライタ２から電波で送電された電力によって回路が動作し、リーダ／ライタ２と無線通信を行う。
【００３８】
この場合、リーダ／ライタ２は、数ｍ離れたＲＦＩＤタグ３が動作可能な電力を電波で送電する必要があるため、電波の送信出力が数Ｗ（ワット）程度と大きい。このため、電波を送信するＲＦＩＤシステム１では、リーダ／ライタ２から送信された電波が所定領域からリークすることを低減するＥＭＩ（Electro-Magnetic Interference）対策を行う必要がある。また、電波の送信出力が大きいため、リーダ／ライタ２から送信された電波が床７、側壁８、天井９などで反射した反射波の強度も大きく、直接波と反射波とのマルチパス干渉による通信不能部分の発生が問題となる。
【００３９】
これらの問題点を回避するため、本実施形態のＲＦＩＤシステム１では、リーダ／ライタ２から送信された電波が到達する側壁８および天井９には、上記電波を吸収する電波吸収体や、上記電波を拡散反射させる拡散反射体など、反射波の強度を低減する反射強度低減体６が設けられている。これにより、電波が所定領域からリークすることを低減できるとともに、反射波の強度を低減することができる。
【００４０】
電波吸収体の材料としては、ＥＭＩ対策で利用される公知のものを利用することができ、例えば、抵抗皮膜、ゴムおよびカーボンの複合材、カーボンを付着させた繊維、発泡スチロール、カーボン含有発泡ウレタン、フェライト、カーボン・フェライトの複合材などが挙げられる。また、拡散反射体としては、電波の波長と同程度またはそれ以上の凹凸を有する形状のものや、種々の誘電率を有するものなどが挙げられる。
【００４１】
このように、電波吸収体や電波散乱体は、柔らかいものや凸凹したものであるため、人間が移動したり荷物が運搬されたりする床面７に設けることは望ましくない。このため、床面７からの反射波の影響を無視できず、直接波と床面７からの反射波とによるマルチパス干渉が問題となる。
【００４２】
これに対し、本実施形態のリーダ／ライタ２は、送信する電波のビームをスキャンすることが可能なビームスキャンアンテナを利用している。これにより、上記ビームの進行方向Ｐを変更できるので、指向性の強い通常のアンテナに比べて通信領域を拡大することができる。したがって、少数のアンテナで広い通信領域をカバーすることができる。
【００４３】
ところで、ビームのスキャン方向Ｓｃは、ビームの進行方向Ｐに対応して変化するので、ビームのスキャンは、スキャン方向Ｓｃを含む面によって特定されることになる。例えば、図１の場合では、ビームのスキャン方向Ｓｃを含む面は、図面と平行な面となる。本実施形態のリーダ／ライタ２では、ビームのスキャン方向を含む面が、最も強い反射波の生じる反射面である床面７と交わるように、ビームをスキャンしている。
【００４４】
この場合、ビームの進行方向Ｐがスキャンによって床面７の方へ変化することになる。すると、通信領域内の任意の位置で、直接波の電波強度と床面７からの反射波の電波強度とがそれぞれ変化することになる。
【００４５】
図２は、リーダ／ライタ２のアンテナから或るＲＦＩＤタグ３に、直接送信される直接波ＤＷと、床面７にて反射して送信される反射波ＲＷとを示している。同図（ａ）（ｂ）は、本実施形態のビームスキャンアンテナ４０を利用した場合を示しており、それぞれ、スキャンによってビームの進行方向Ｐが異なる場合を示している。同図（ｃ）は、従来技術の指向性の弱いアンテナ１００を利用した場合を示している。
【００４６】
なお、図中では、ＲＦＩＤタグ３で受信する直接波ＤＷの電波強度と反射波ＲＷの電波強度とが同程度である場合には、直接波ＤＷおよび反射波ＲＷを実線で示す一方、異なる場合には、電波強度の強い方を実線で示し、弱い方を破線で示している。また、ビームの形状を一点鎖線で示している。
【００４７】
図２を参照すると、従来の場合は、同図（ｃ）に示されるように、ＲＦＩＤタグ３が受信する直接波ＤＷの電波強度と反射波ＲＷの電波強度とが同程度である。このため、図示の位置のＲＦＩＤタグ３が、マルチパス干渉により直接波ＤＷと反射波ＲＷとが互いに弱め合う場合には、ＲＦＩＤタグ３は、受信する電波強度が著しく低くなって、リーダ／ライタ２との通信が不能となる。
【００４８】
一方、図２（ａ）に示されるように、ビームのスキャンによりビームの進行方向ＰにＲＦＩＤタグ３が存在する場合には、直接波ＤＷの電波強度が反射波ＲＷの電波強度よりも大きくなる。このため、図示の位置のＲＦＩＤタグ３が、マルチパス干渉により直接波ＤＷと反射波ＲＷとが互いに弱め合う場合でも、ＲＦＩＤタグ３は、受信する直接波ＤＷの電波強度がさほど低くならず、リーダ／ライタ２との通信が可能となる。
【００４９】
また、図２（ｂ）に示されるように、ビームのスキャンによりビームの進行方向Ｐが同図（ａ）に比べて下方となり、ビームの進行方向Ｐに、ＲＦＩＤタグ３の床面７に対する対称位置が存在する場合には、反射波ＲＷの電波強度が直接波ＤＷの電波強度よりも大きくなる。このため、図示の位置のＲＦＩＤタグ３が、マルチパス干渉により直接波ＤＷと反射波ＲＷとが互いに弱め合う場合でも、ＲＦＩＤタグ３は、受信する反射波ＲＷの電波強度がさほど低くならず、リーダ／ライタ２との通信が可能となる。
【００５０】
以上より、マルチパス干渉による通信不能部分にて、直接波の電波強度と床面７からの反射波の電波強度とが異なるようになると、マルチパス干渉が抑えられて、リーダ／ライタ２とＲＦＩＤタグ３との通信が可能となる。したがって、通信不能部分の無い広い通信領域をカバーすることができる。また、本実施形態では、リーダ／ライタ２のアンテナおよびその制御を変更するのみでよく、ＲＦＩＤタグ３に特別な変更を施す必要がない。
【００５１】
以下、リーダ／ライタ２およびＲＦＩＤタグ３の具体的な構成について、図３〜図１１に基づいて説明する。
【００５２】
図３は、リーダ／ライタ２の概略構成を示している。図示のように、リーダ／ライタ２は、制御部２０、記憶部２１、無線処理部（通信手段）２２、アンテナ部（タグ通信用アンテナ）２３、タイマ部２４、および外部Ｉ／Ｆ（インタフェース）部２５を備える構成である。
【００５３】
制御部２０は、リーダ／ライタ２内における上述した各種構成の動作を統括的に制御するものである。制御部２０は、例えばＰＣ（Personal Computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み込んで使用する形態であってもよいし、ハードディスクなどにインストールされたものを読み込んで使用する形態であってもよい。また、外部Ｉ／Ｆ部２５を介して上記プログラムをダウンロードしてハードディスクなどにインストールして実行する形態なども考えられる。
【００５４】
記憶部２１は、上記したハードディスクなどの不揮発性の記憶装置によって構成される。この記憶部２１に記憶される内容としては、上記した制御プログラム、ＯＳ（operating system）プログラム、およびその他各種プログラム、ならびに各種データが挙げられる。本実施形態では、記憶部２１には、アンテナ部２２におけるアンテナのスキャン範囲、刻み角、および保持時間のデータが記憶されている。
【００５５】
無線処理部２２は、制御部２０から受信したデータを無線送信に適した形式に変換し、変換した無線信号をアンテナ部２３を介して外部に送信するとともに、外部からアンテナ部２３を介して受信した無線信号を元の形式に変換し、変換したデータを制御部２０に送信するものである。無線処理部２２には、Ａ／Ｄ（Analog to Digital）変換回路、Ｄ／Ａ（Digital to Analog）変換回路、変復調回路、ＲＦ回路などが使用される。
【００５６】
アンテナ部２３は、無線処理部２２からの無線信号を電波に変換して外部に送信するとともに、外部から受信した電波を無線信号に変換して無線処理部２２に送信するものである。アンテナ部２３には、アンテナ、共振回路などが使用される。本実施形態では、アンテナ部２３は、外部に送信する電波のビーム方向をスキャンできるビームスキャンアンテナである。なお、ビームスキャンアンテナの詳細については後述する。
【００５７】
タイマ部２４は、制御部２０からの指示に基づいて、各種の時間を計測し、計測した時間データを制御部２０に送信するものである。本実施形態では、タイマ部２４は、アンテナ部２３から送信される電波のビーム方向を調整するために利用される。
【００５８】
外部Ｉ／Ｆ部２５は、ＰＣなどの外部のデバイスと通信を行うものである。外部Ｉ／Ｆ部２５のインタフェース規格としては、ＵＳＢ（Universal Serial Bus）、ＩＥＥＥ１３９４、Ｅｔｈｅｒｎｅｔ（登録商標）、などが挙げられる。
【００５９】
図４は、ＲＦＩＤタグ３の概略構成を示している。図示のように、ＲＦＩＤタグ３は、アンテナ部３０および無線通信ＩＣ３１を備える構成である。
【００６０】
アンテナ部３０は、リーダ／ライタ２からの電波を、無線通信ＩＣ３１を動作させる電力源として受け取るものである。また、アンテナ部３０は、リーダ／ライタ２から受信した電波を無線信号に変換して無線通信ＩＣ３１に送信するとともに、無線通信ＩＣ３１からの無線信号を電波に変換してリーダ／ライタ２に送信するものである。アンテナ部３０には、アンテナ、共振回路などが使用される。
【００６１】
無線通信ＩＣ３１は、リーダ／ライタ２からアンテナ部３０を介して受信した信号に基づいて、リーダ／ライタ２からのデータを記憶したり、記憶されたデータをアンテナ部３０を介してリーダ／ライタ２に送信したりするものである。図４に示されるように、無線通信ＩＣ３１は、電源部３２、無線処理部３３、制御部３４、およびメモリ部３５を備える構成である。
【００６２】
電源部３２は、アンテナ部３０が電波を受信することにより発生する誘起電圧を整流回路にて整流し、電源回路にて所定の電圧に調整した後、無線通信ＩＣ３１の各部に供給するものである。電源部３２には、ブリッジダイオード、電圧調整用コンデンサなどが使用される。
【００６３】
無線処理部３３は、外部からアンテナ部３０を介して受信した無線信号を元の形式に変換し、変換したデータを制御部３４に送信するとともに、制御部３４から受信したデータを無線送信に適した形式に変換し、変換した無線信号をアンテナ部３０を介して外部に送信するものである。無線処理部３３には、Ａ／Ｄ（Analog to Digital）変換回路、Ｄ／Ａ（Digital to Analog）変換回路、変復調回路、ＲＦ回路などが使用される。
【００６４】
制御部３４は、無線通信ＩＣ３１内における上述した各種構成の動作を統括的に制御するものである。制御部３４は、論理演算回路、レジスタなどを備え、コンピュータとして機能する。そして、各種構成の動作制御は、制御プログラムをコンピュータに実行させることによって行われる。このプログラムは、例えばメモリ部３５のＲＯＭ（Read Only Memory）などにインストールされたものを読み込んで使用する形態であってもよいし、リーダ／ライタ２からアンテナ部３０および無線処理部３３を介して上記プログラムをダウンロードしてメモリ部３５にインストールして実行する形態であってもよい。
【００６５】
特に、制御部３４は、リーダ／ライタ２からアンテナ部３０および無線処理部３３を介して受信したデータに基づいて、リーダ／ライタ２からのデータをメモリ部３５に記憶したり、メモリ部３５に記憶されたデータを読み出して、無線処理部３３およびアンテナ部３０を介してリーダ／ライタ２に送信したりする。
【００６６】
メモリ部３５は、上記したＲＯＭや、ＳＲＡＭ（Static RAM）、ＦｅＲＡＭ（強誘電体メモリ）などの半導体メモリによって構成される。このメモリ部３５に記憶される内容としては、上記した制御プログラム、およびその他各種のプログラム、ならびに各種データが挙げられる。なお、無線通信ＩＣ３１は、リーダ／ライタ２から送信される電波を電力源としているため、ＲＯＭなどの不揮発性メモリや、ＳＲＡＭ、ＦｅＲＡＭなどの消費電力の少ないメモリを利用することが望ましい。
【００６７】
次に、リーダ／ライタ２のアンテナ部２３に利用されるビームスキャンアンテナについて、図５〜図７に基づいて説明する。外部に送信する電波のビーム方向をスキャンできるビームスキャンアンテナとしては、例えば上記特許文献３に記載のように、アンテナ自身を揺動させる方式や、ビーム方向の異なる複数のアンテナを切り換えて利用する方式や、移相器を利用する方式が挙げられる。
【００６８】
このうち、アンテナ自身を揺動させる方式では、機械的な駆動手段が必要となるので、装置規模が大型化するとともに、定期的なメインテナンスが必要となる。また、複数のアンテナを切り換えて利用する方式では、機械的な駆動手段が不要であるが、全てのアンテナが同時に利用されることが無いので、アンテナの利用効率が低い。これらの方式に対し、移相器を利用する方式は、機械的な駆動手段が不要である点と、かつ全てのアンテナが同時に利用されるのでアンテナの利用効率が高い点とで優れている。
【００６９】
そこで、本実施形態では、移相器を利用したパッチアンテナをビームスキャンアンテナとして使用している。なお、パッチアンテナは、平面アンテナの一種であり、アンテナ素子として機能する複数のパッチ状導体と、誘電体とによって構成されるものである。
【００７０】
図５は、移相器を利用したビームスキャンアンテナの概要を示している。ビームスキャンアンテナ４０は、複数のアンテナ素子４１を配列し、各アンテナ素子４１に可変移相器（移相器）４２を接続した構成である。
【００７１】
全てのアンテナ素子４１が同じ位相で電波を送信する場合には、電波は、アンテナ素子４１の配列方向に垂直な方向の平面波として伝搬する。一方、電波の伝搬方向を、アンテナ素子４１の配列方向に垂直な方向から角度θ（ｒａｄ）だけ傾斜させるには、下記のように各アンテナ素子４１が送信する電波の位相をずらせばよい。
【００７２】
すなわち、図５に示されるように、送信または受信する電波の波長をλ（ｍ）とし、基準となるアンテナ素子４１ａとｋ番目のアンテナ素子４１との距離をｄk（ｍ）とし、図５に破線で示される等位相面のうち、基準となるアンテナ素子４１ａを通る等位相面と、ｋ番目のアンテナ素子４１との距離をｌk（ｍ）とすると、基準となるアンテナ素子４１ａの位相に対するｋ番目のアンテナ素子４１の位相のずれφkは次式となる。
φk＝（ｌk／λ）×２π＝（ｄk×sinθ／λ）×２π…（１）。
【００７３】
このように、移相器を利用したビームスキャンアンテナは、各可変移相器４２が、上式を満たすように信号の位相をずらすことにより、目的の方向に電波のビームを向けることができる。一方、電波を受信する場合には、各アンテナ素子４１の位相のずれを検出することにより、受信した電波の方向を判別することができる。
【００７４】
図６は、本実施形態のビームスキャンアンテナ４０が送信する電波のビーム形状４５を示している。同図（ａ）は平面図であり、同図（ｂ）は正面図であり、同図（ｃ）はビームスキャンアンテナ４０と対向する側から見た側面図である。また、同図（ｂ）・（ｃ）は、ビーム形状４５がスキャンによって変化する様子も示している。
【００７５】
図６（ａ）〜（ｃ）に示されるように、本実施形態のビームスキャンアンテナ４０から送信するビーム形状４５は、スキャン方向Ｓｃに狭く、その他の方向に広い形状となっている。すなわち、上記ビームは、スキャン方向Ｓｃに指向性が強く、その他の方向に指向性が弱いビームである。ビーム形状４５がスキャン方向Ｓｃ以外の方向に広いことにより、１回のスキャンで、図１３に示すような指向性の弱いビームと同程度の広い通信領域を確保することができる。
【００７６】
図７は、横２．５ｍ、高さ２．５ｍの領域において、リーダ／ライタ２がＲＦＩＤタグ３と通信可能な領域である通信領域と、通信不能な領域である通信不能領域との分布を示している。図中、電波は、左端（ｘ＝−１．２５ｍ）の高さ（Ｈ）１．２５ｍの地点から右方向に送信している。また、白色領域が通信領域であり、黒色領域が通信不能領域であり、灰色領域が通信の不安定な領域である。
【００７７】
また、図７（ａ）〜（ｃ）は、図６（ｂ）に対応しており、本実施形態のビームスキャンアンテナ４０を利用した場合の通信領域の分布を示しており、同図（ｄ）は、従来の指向性の弱いアンテナ１００を利用した場合の通信領域の分布を比較例として示している。さらに、同図（ａ）〜（ｃ）は、それぞれ電波を斜め上方、水平方向、および斜め下方に送信する場合の通信領域の分布を示している。
【００７８】
図７（ｄ）に示されるように、指向性の弱いアンテナから電波を送信する場合には、広い通信領域が得られるが、特に低い位置に多くの通信不能部分が発生する。これに対し、同図（ａ）〜（ｃ）に示されるように、指向性の強いアンテナから電波を送信する場合には、通信領域は狭いが、電波のビームの進行方向に通信領域を確保することができる。したがって、本実施形態のように、電波のビームをスキャンすることにより、同図（ａ）〜（ｃ）に示される通信領域を重ね合わせることができ、通信不能領域を消滅させることができる。
【００７９】
なお、図７（ｂ）と同図（ａ）・（ｃ）とを比較すると、電波のビームを水平方向に送信する場合、電波のビームの進行方向に対応する良好な通信領域となることが理解できる。これは、反射波低減体６が設けられていない床面７、すなわち、反射波による影響が最も生じやすい面に対し平行な方向に電波を送信することにより、マルチパス干渉による影響を抑えることができるためと考えられる。したがって、電波のビームの進行方向は、反射波による影響が最も生じやすい面に対し平行な方向となる場合を含むことが望ましい。
【００８０】
また、図６（ｂ）および図７（ａ）〜（ｃ）に記載のように、アンテナは、床面から離間して配置することが望ましい。また、アンテナと床面との距離は、図７（ｃ）に示されるように、送信する電波のビームの進行方向が床面に向いたときに、上記ビームの進行方向と上記床面とのなす角と、ＲＦＩＤタグ３の読取りに必要な空間と、その必要な空間において通信不能部分が無いこととに基づいて決定されることが望ましい。この場合、アンテナと床面面との間に、通信不能部分の抑えられた空間を確保することができ、該空間を通過する多数のＲＦＩＤタグ３と確実に通信することができる。
【００８１】
次に、リーダ／ライタ２からの電波のスキャン調整について図８〜図１０に基づいて説明する。本実施形態のリーダ／ライタ２は、所定の時間にほぼ全てのＲＦＩＤタグ３と通信できるように、電波の送信方向（進行方向）の範囲を示すスキャン範囲と、送信方向の刻みと、或る送信方向への電波の送信を保持する保持時間とを調整して最適化する機能を有する。
【００８２】
図８は、リーダ／ライタ２の制御部２０において、電波の送信方向の調整を行う機能ブロックを示している。図示のように、制御部２０は、通信完了数カウント部（カウント手段）５０、スキャン範囲調整部（スキャン調整手段）５１、刻み角調整部（スキャン調整手段）５２、保持時間調整部（スキャン調整手段）５３、およびスキャン方向指示部（スキャン制御手段）５４とを備える構成である。また、図９（ａ）〜（ｃ）は、スキャン範囲調整部５１、刻み角調整部５２、および保持時間調整部５３における電波の送信方向の調整をそれぞれ示している。
【００８３】
通信完了数カウント部５０は、無線通信を行って正常に完了したＲＦＩＤタグ３の情報を無線処理部２２から受信することにより、上記通信完了したＲＦＩＤタグ３の数をカウントするものである。通信完了数カウント部５０は、上記通信完了したＲＦＩＤタグ３のカウント情報をスキャン範囲調整部５１、刻み角調整部５２、および保持時間調整部５３に送信する。
【００８４】
スキャン方向指示部５４は、スキャン範囲調整部５１、刻み角調整部５２、および保持時間調整部５３から受信した電波の送信方向θの指示に基づき、アンテナ部２３を制御するものである。具体的には、スキャン方向指示部５４は、上記電波の送信方向θの指示に基づき、図５に示される各アンテナ素子４１から送信する電波の位相φkを上記式（１）に基づいて計算し、計算した位相φkをアンテナ部２３の各可変移相器４２に送信するものである。
【００８５】
スキャン範囲調整部５１は、図９（ａ）に示されるように、電波の送信方向に関して、スキャンの開始角ａ（ｒａｄ）とスキャンの終了角ｂ（ｒａｄ）とを調整するものである。また、スキャン範囲調整部５１は、調整されたスキャンの開始角ａおよび終了角ｂを記憶部２１に記憶して、実際の動作で利用される。なお、角度の基準となる方向は水平方向や鉛直方向など、任意の方向を選択することができる。
【００８６】
具体的には、スキャン範囲調整部５１は、まず、或るスキャンの開始角ａおよび終了角ｂ、所定の刻み角Δθ（ｒａｄ）、ならびに所定のスキャン時間Ｔ（ｓ）で１回のスキャンを行うようにスキャン方向指示部５４に指示する。その後、所定のスキャン時間Ｔに通信が完了したＲＦＩＤタグ３の数を通信完了数カウント部５０から取得する。そして、これらの動作を、スキャンの開始角ａおよび終了角ｂを種々に変更して繰り返すことにより、１回のスキャンで通信が完了したＲＦＩＤタグ３の数が最も多いスキャンの開始角ａおよび終了角ｂを決定する。
【００８７】
刻み角調整部５２は、図９（ｂ）に示されるように、電波の送信方向を変更するときの変更量を示す刻み角Δθを調整するものである。また、刻み角調整部５２は、調整された刻み角Δθを記憶部２１に記憶して、実際の動作で利用される。
【００８８】
具体的には、刻み角調整部５２は、まず、スキャン範囲調整部５１が決定したスキャンの開始角ａおよび終了角ｂ、或る刻み角Δθ、ならびに所定のスキャン時間Ｔで１回のスキャンを行うようにスキャン方向指示部５４に指示する。その後、所定のスキャン時間Ｔに通信が完了したＲＦＩＤタグ３の数を通信完了数カウント部５０から取得する。そして、これらの動作を、刻み角Δθを種々に変更して繰り返すことにより、１回のスキャンで通信が完了したＲＦＩＤタグ３の数が最も多い刻み角Δθを決定する。
【００８９】
保持時間調整部５３は、図９（ｃ）に示されるように、或る方向への電波の送信を保持する保持時間ｔ（ｓ）を調整するものである。また、保持時間調整部５３は、調整された保持時間ｔを記憶部２１に記憶して、実際の動作で利用される。
【００９０】
具体的には、保持時間調整部５３は、まず、スキャン範囲調整部５１が決定したスキャンの開始角ａおよび終了角ｂ、刻み角調整部５２が決定した刻み角Δθ（ｒａｄ）、ならびに或る保持時間ｔでスキャンを行うようにスキャン方向指示部５４に指示する。その後、１回のスキャンで通信が完了したＲＦＩＤタグ３の数を通信完了数カウント部５０から取得する。そして、これらの動作を、保持時間ｔを種々に変更して繰り返すことにより、１回のスキャンで通信が完了したＲＦＩＤタグ３の数が最も多い保持時間ｔを決定する。
【００９１】
図１０は、上記構成のＲＦＩＤシステム１において、リーダ／ライタ２からの電波の送信方向を調整する処理の流れを示している。この調整は、実際の運用に沿った動作状態で行われる。
【００９２】
まず、基準ワークの設定が行われる（ステップＳ１０。以下、単に「Ｓ１０」と記載することがある。他のステップについても同様である。）。具体的には、例えば航空手荷物を非接触で自動的に認識するようなケースを考えると、まず、運搬手段５であるベルトコンベアに実際に流れるスーツケース、ダンボールなどのワーク４にＲＦＩＤタグ３を取り付ける。一方、リーダ／ライタ２は、適当な場所にアンテナを設置し、アンテナの周辺環境を運用時と同じとする。次に、ＲＦＩＤタグ３を有するワーク４をコンベア５上で実際の運搬速度で流し、所定時間Ｔ内に所定数のワーク４が、リーダ／ライタ２との通信領域内を通過するようにする。
【００９３】
次に、スキャン範囲調整部５１が、上述の調整動作を行って、スキャン範囲ａ〜ｂの最適化を行い（Ｓ１１）、刻み角調整部５２が、上述の調整動作を行って、刻み角Δθの最適化を行い（Ｓ１２）、保持時間調整部５３が、上述の調整動作を行って、保持時間ｔの最適化を行う（Ｓ１３）。
【００９４】
以上より、最適なスキャン動作の条件が決定され、この条件を初期条件として記憶部２１に記憶し、実際の運用に利用される。
【００９５】
したがって、本実施形態では、最適なスキャン動作の条件が自動的に決定されるので、アンテナを設置した初期設定時やメインテナンス時に、所望の領域が通信領域となるようにアンテナのチューニングを行うことが容易となる。また、初期設定時やメインテナンス時だけでなく、実際の運用中でも適宜行うことができる。
【００９６】
なお、スキャン範囲ａ〜ｂ、刻み角Δθ、および保持時間ｔの調整動作の順番は、種々に変更可能である。また、保持時間ｔを調整する代わりに、所定時間Ｔを調整しても良い。
【００９７】
次に、リーダ／ライタ２に用いられるビームスキャンアンテナ４０の本数および設置位置について図１１に基づいて説明する。図１１は、リーダ／ライタ２のビームスキャンアンテナ４０が送信する電波のスキャン範囲を示している。同図（ａ）は、１個のビームスキャンアンテナ４０のみを設けた場合を示しており、同図（ｂ）は、２個のビームスキャンアンテナ４０を上下方向に設けた場合を示しており、同図（ｃ）は、２個のビームスキャンアンテナ４０を対向し、かつ上下方向にずらして設けた場合を示している。
【００９８】
図１１（ａ）を図１１（ｂ）・（ｃ）と比較すると、ビームスキャンアンテナ４０を１個設けた場合には、スキャン範囲６０が広いため、１回のスキャンに必要な時間が長くなる。また、下方への傾きが大きいので、電波の送信方向と床面７とのなす角が大きくなり、床面７で反射した反射波が後方（図面の右側）に広がって、マルチパス干渉が増大する虞がある。
【００９９】
これに対し、図１１（ｂ）・（ｃ）に示されるように、ビームスキャンアンテナ４０を上下方向に２個設けた場合には、スキャン範囲６０が狭いので、１回のスキャンに必要な時間が短くなる。また、下方への傾きが小さいので、上側のビームスキャンアンテナ４０は、電波の送信方向が床面と交わらず、マルチパス干渉を防止することができる。さらに、下側のビームスキャンアンテナ４０は、電波の送信方向と床面とのなす角が小さく、床面で反射した反射波が後方にさほど広がらないので、マルチパスの干渉を抑えることができる。
【０１００】
したがって、リーダ／ライタ２は、複数個のビームスキャンアンテナ４０を利用することが望ましい。また、床面からの反射波によるマルチパス干渉を抑えるため、リーダ／ライタ２は、複数個のビームスキャンアンテナ４０を上下方向、すなわち床面に垂直な方向に配備することが望ましい。
【０１０１】
ところで、図１１（ａ）〜（ｃ）から理解できるように、リーダ／ライタ２がビームスキャンアンテナ４０を介してＲＦＩＤタグ３と通信可能となる通信領域は、ビームスキャンアンテナ４０に近い方が狭く、遠い方が広くなる。このため、図１１（ａ）・（ｂ）に示されるように、ビームスキャンアンテナ４０に近い領域には、スキャンしてもビームが到達しない領域が存在し、この領域では通信不能領域となるおそれがある。また、図１１（ｂ）に示されるように、ビームスキャンアンテナ４０から遠い領域には、各ビームスキャンアンテナ４０の通信領域が互いに重なる領域が存在し、この領域では混信の可能性がある。
【０１０２】
そこで、図１１（ｃ）に示されるように、複数個のビームスキャンアンテナ４０を対向して配置することが望ましい。この場合、一方のビームスキャンアンテナ４０に近い領域は、対向するビームスキャンアンテナ４０の通信領域となるので、上記通信不能領域が発生することを防止できる。さらに、互いに対向するビームスキャンアンテナ４０を、床面７に略垂直な方向にずらして配置すれば、図１１（ｃ）に示されるように、互いの通信領域が重なる領域が少なくなり、複数のビームスキャンアンテナ４０からの電波が混信することを防止できる。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０４】
例えば、上記実施形態では、リーダ／ライタ２は、ＲＦＩＤタグ３に対し情報の読み書きを行っているが、ＲＦＩＤタグ３から情報を読み取るリーダ機能のみを有しても良いし、ＲＦＩＤタグ３に対し情報を書き込むライタ機能のみを有しても良い。また、リーダ／ライタ２は、ＲＦＩＤタグ３が送信する電波をビームスキャンアンテナで受信しても良いし、別途設けたアンテナで受信しても良い。
【０１０５】
また、上記実施形態では、送信する電波のビームの進行方向を、床面に垂直な方へ変更しているが、最も強い反射波が生じる反射面が側面８である場合には、電波のビームの進行方向を側面８に垂直な方へ変更することが望ましい。このように、送信する電波のビームの進行方向が含まれる面は、上記反射面に略垂直であることが望ましい。
【０１０６】
また、上記実施形態では、スキャン方向Ｓｃを含む面は、図６に示されるように床面７と垂直な面であるが、床面７と平行な面以外の面、すなわち床面７と交わる面であれば、任意の面を選択することができる。例えば、図１２は、図６（ｃ）に対応するものであり、スキャン方向Ｓｃを含む面を、床面７から４５度傾斜した場合を示している。この場合でも、直接波の電波強度と床面７からの反射波の電波強度が変化して、マルチパス干渉による通信不能領域の発生を抑えることができる。
【０１０７】
さらに、図２（ａ）（ｂ）に示されるように、床面７に垂直な方向にビームが絞られていればマルチパス干渉による通信不能領域の発生を抑えることができる。したがって、ビームは、スキャン方向Ｓｃに関係なく、少なくとも一方向に絞られており、上記ビームが絞られている方向のうち少なくとも一方向が、最も強い反射波の生じる反射面と交わればよい。
【０１０８】
また、リーダ／ライタ２の各ブロックは、ハードウェアロジックによって構成してもよいし、次のようにＣＰＵを用いてソフトウェアによって実現してもよい。
【０１０９】
すなわち、リーダ／ライタ２は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるリーダ／ライタ２の制御プログラムのプログラムコード（実行形式プログラム、中間コードプログラム、ソースプログラム）をコンピュータで読み取り可能に記録した記録媒体を、上記リーダ／ライタ２に供給し、そのコンピュータ（またはＣＰＵやＭＰＵ）が記録媒体に記録されているプログラムコードを読み出し実行することによっても、達成可能である。
【０１１０】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１１】
また、リーダ／ライタ２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０１１２】
なお、本発明を以下のように構成してもよい。
【０１１３】
すなわち、本発明に係るタグ通信用アンテナは、電波を介してＲＦＩＤタグと無線通信を行うタグ通信装置に用いられるタグ通信用アンテナであって、送信する電波のビームをスキャンするとともに、上記ビームは、少なくとも一方向に絞られており、上記ビームが絞られている方向のうち少なくとも一方向が、最も強い反射波の生じる反射面と交わる構成である。
【０１１４】
ここで、ビームがスキャンされると、ビームが絞られている方向が変化するが、変化した方向でも上記反射面と交わるものである。
【０１１５】
上記の構成によると、送信する電波のビームをスキャンすることが可能なビームスキャンアンテナを利用することにより、指向性の強い通常のアンテナに比べて通信領域を拡大することができる。したがって、少数のアンテナで広い通信領域をカバーすることができる。
【０１１６】
ところで、マルチパス干渉による通信不能部分は、直接波の電波強度と反射波の電波強度とが同程度である場合に発生する。そこで、本発明に係るタグ通信用アンテナが送信する上記ビームは、少なくとも一方向に絞られており、上記ビームが絞られている方向のうち少なくとも一方向が、上記反射面と交わるようにしている。
【０１１７】
この場合、上記反射面と交わる方向にビームが絞られるから、上記反射面に垂直な方向にもビームが絞られることになる。この場合、ビームのスキャンを行って、直接波の進行方向と、反射波が反射する前の波の進行方向との何れか一方が、ビームの進行方向と一致するとき、直接波の電波強度と上記反射面からの反射波の電波強度とがそれぞれ変化することになる。このとき、上記通信不能部分にて、直接波の電波強度と上記反射面からの反射波の電波強度とが異なるようになると、マルチパス干渉が抑えられて、タグ通信装置とＲＦＩＤタグとの通信が可能となる。したがって、本発明に係るタグ通信用アンテナは、通信不能部分の無い広い通信領域をカバーすることができる。
【０１１８】
なお、上記ビームが絞られている方向のうち上記反射面と交わる方向を、上記ビームのスキャン方向とすることが望ましい。この場合、ビームが絞られている方向にスキャンが行われるので、所定領域を効果的にスキャンすることができる。
【０１１９】
また、上記スキャン方向を含む面は上記反射面に略垂直であることが望ましい。この場合、直接波の電波強度と上記反射面からの反射波の電波強度とがそれぞれ効果的に変化するので、マルチパス干渉による通信不能部分が確実に抑えられて、タグ通信装置とＲＦＩＤタグとが確実に通信することが可能となる。
【０１２０】
さらに、上記ビームの進行方向が上記反射面に略平行な方向を含むことが望ましい。ビームの進行方向が反射面に略平行な方向となると、反射面に伝搬する電波の強度が小さくなり、反射波の電波強度も小さくなるので、マルチパス干渉による通信不能部分がさらに確実に抑えられることができる。
【０１２１】
また、上記ビームは、上記スキャン方向にのみ絞られていることが望ましい。この場合、スキャン方向に狭く、その他の方向に広い形状のビームとなり、このビームがスキャンされるから、１回のスキャンで、図１３に示されるような、全方向に指向性の弱いビーム並の通信領域を確保することができる。
【０１２２】
なお、上記タグ通信用アンテナが、上記反射面から離間して配置される構成である場合、上記離間の距離は、上記ビームの進行方向が上記反射面に向いたときに、上記ビームの進行方向と上記反射面とのなす角と、ＲＦＩＤタグの読取りに必要な空間と、その必要な空間において通信不能部分が無いこととに基づいて決定されることが望ましい。
【０１２３】
また、本発明に係るタグ通信装置は、ＲＦＩＤタグと無線通信を行うタグ通信装置であって、上記構成のタグ通信用アンテナと、該タグ通信用アンテナから送信する電波のビームのスキャンを制御するスキャン制御手段とを備えることを特徴としている。
【０１２４】
上記構成のタグ通信装置は、上記構成のタグ通信用アンテナを備えており、スキャン制御手段の制御によりタグ通信用アンテナから送信する電波のビームがスキャンされるので、前述と同様の効果を得ることができる。
【０１２５】
本発明に係るタグ通信装置のビームの調整方法は、上記構成のタグ通信用アンテナが送信する電波のビームのスキャンを調整するスキャン調整方法であって、或るスキャン時間に或るスキャン範囲を或る刻み角で上記スキャンを行うスキャンステップと、上記スキャンの間に無線通信が完了したＲＦＩＤタグの通信完了数をカウントするカウントステップと、上記スキャンステップおよびカウントステップを、種々のスキャン時間、スキャン範囲、および刻み角について繰り返す繰返しステップと、該繰返しステップにより、上記ＲＦＩＤタグの通信完了数が最大となるように、スキャン時間、スキャン範囲、および刻み角を決定する決定ステップとを含むことを特徴としている。
【０１２６】
上記の方法によると、ＲＦＩＤタグの通信完了数が最大となるように、スキャン時間、スキャン範囲、および刻み角を自動的に調整するので、アンテナ設置時やメインテナンス時に、所望の領域が通信領域となるようにアンテナのチューニングを行うことが容易となる。
【０１２７】
なお、上記タグ通信装置におけるスキャン調整手段を、スキャン調整プログラムによりコンピュータ上で実行させることができる。さらに、上記スキャン調整プログラムをコンピュータ読取り可能な記録媒体に記憶させることにより、任意のコンピュータ上で上記スキャン調整プログラムを実行させることができる。
【産業上の利用可能性】
【０１２８】
本発明に係るＲＦＩＤシステムは、リーダ／ライタのアンテナから送信する電波のビームのスキャン方向を含む面が、最も強い反射波の生じる反射面と交わるように、ビームをスキャンすることにより、マルチパス干渉による通信不能領域の発生を抑えることができるので、電波を送信する形態のＲＦＩＤシステムであれば、任意の周波数の電波に適用することができる。
【図面の簡単な説明】
【０１２９】
【図１】本発明の一実施形態であるＲＦＩＤシステムの概要を示す正面図である。
【図２】ＲＦＩＤリーダ／ライタのアンテナから或るＲＦＩＤタグに送信される直接波および反射波を示す正面図であり、同図（ａ）・（ｂ）は、指向性の強いビームの進行方向が、上記直接波の進行方向、および上記反射波の反射前の波の進行方向と、それぞれ同じである上記ＲＦＩＤシステムの場合を示しており、同図（ｃ）は、指向性の弱いビームを送信する従来の場合を示している。
【図３】上記ＲＦＩＤシステムにおけるＲＦＩＤリーダ／ライタの概略構成を示すブロック図である。
【図４】上記ＲＦＩＤシステムにおけるＲＦＩＤタグの概略構成を示すブロック図である。
【図５】上記ＲＦＩＤリーダ／ライタに設けられる、移相器を利用したビームスキャンアンテナの概要を示す模式図である。
【図６】上記ビームスキャンアンテナが送信する電波のビーム形状を示しており、同図（ａ）は平面図であり、同図（ｂ）は正面図であり、同図（ｃ）はビームスキャンアンテナと対向する側から見た側面図である。
【図７】上記ＲＦＩＤリーダ／ライタと上記ＲＦＩＤタグとの通信領域の分布を示すグラフであり、同図（ａ）〜（ｃ）は指向性の強い電波を、斜め上方、水平方向、および斜め下方に送信した場合をそれぞれ示しており、同図（ｄ）は指向性の弱い電波を送信した場合を比較例として示している。
【図８】上記ＲＦＩＤリーダ／ライタの制御部において、送信する電波のビームのスキャン調整を行う機能構成を示すブロック図である。
【図９】同図（ａ）〜（ｃ）は、上記スキャン調整に関するスキャン範囲、刻み角、および保持時間の調整の内容を示す図である。
【図１０】上記スキャン調整の処理の流れを示すフローチャートである。
【図１１】上記ＲＦＩＤリーダ／ライタのビームスキャンアンテナが送信する電波のスキャン範囲を示す正面図であり、同図（ａ）は、１個ビームスキャンアンテナのみを設けた場合を示しており、同図（ｂ）は、２個のビームスキャンアンテナを上下方向に設けた場合を示しており、同図（ｃ）は、２個のビームスキャンアンテナを対向し、かつ上下方向にずらして設けた場合を示している。
【図１２】上記ビームスキャンアンテナが送信する電波の別のビーム形状を、ビームスキャンアンテナと対向する側から見た側面図であり、スキャン方向を含む面を、床面から４５度傾斜した場合を示している。
【図１３】ＲＦＩＤリーダ／ライタが、指向性の弱いアンテナを利用する場合に、ＲＦＩＤタグと通信可能な領域を示す側面図である。
【図１４】ＲＦＩＤリーダ／ライタが、指向性の強いアンテナを利用する場合に、ＲＦＩＤタグと通信可能な領域を示す側面図である。
【符号の説明】
【０１３０】
１    ＲＦＩＤシステム（タグ通信システム）
２    ＲＦＩＤリーダ／ライタ（タグ通信装置）
３    ＲＦＩＤタグ
６    反射強度低減体
２２    無線処理部（通信手段）
２３    アンテナ部（タグ通信用アンテナ）
４０    ビームスキャンアンテナ（タグ通信用アンテナ）
４１    アンテナ素子
４２    可変移相器（移相器）
５０    通信完了数カウント部（カウント手段）
５１    スキャン範囲調整部（スキャン調整手段）
５２    刻み角調整部（スキャン調整手段）
５３    保持時間調整部（スキャン調整手段）
５４    スキャン方向指示部（スキャン制御手段）
【図１】
2008289192.tif 000003
【図２】
2008289192.tif 000004
【図３】
2008289192.tif 000005
【図４】
2008289192.tif 000006
【図５】
2008289192.tif 000007
【図６】
2008289192.tif 000008
【図７】
2008289192.tif 000009
【図８】
2008289192.tif 000010
【図９】
2008289192.tif 000011
【図１０】
2008289192.tif 000012
【図１１】
2008289192.tif 000013
【図１２】
2008289192.tif 000014
【図１３】
2008289192.tif 000015
【図１４】
2008289192.tif 000016